(57)【特許請求の範囲】
【請求項１】
建物への取付面を有する取付体と、この取付体から突出するように設けられて軒樋を吊下支持する軒樋支持体とを備えた軒樋吊具であって、
前記軒樋支持体は、前記取付体に着脱自在に設けられ、
前記軒樋支持体には、その基端部に前記突出する方向に対して左右両側方又は上下方向に張り出す張出壁部が形成され、
前記取付体には、その前面に前記軒樋支持体の張出壁部を左右両側方又は上下方向から保持する保持壁部が形成され、
前記軒樋支持体の張出壁部は左右両側方へ張り出す壁部とされ、
前記取付体の保持壁部は前記張出壁部を左右両側方から保持する壁部とされ、
前記張出壁部と前記保持壁部の各上端面を覆うカバー体が設けられていることを特徴とする軒樋吊具。
【発明の詳細な説明】
【技術分野】
【０００１】
本発明は、家屋の軒先に軒樋を設置するための軒樋吊具に関する。
【背景技術】
【０００２】
一般に、家屋の軒先に軒樋を設置する場合には、軒樋を建物側に支持、固定するための軒樋吊具を建物の鼻隠し板に固定し、この軒樋吊具に軒樋を吊下するようにしている。
この場合に用いる軒樋吊具としては、耐腐蝕性、耐衝撃性、難燃性等の観点から、ポリカーボネート樹脂により形成されたものが広く用いられている。
【０００３】
しかしながら、軒樋吊具を固定する建物の鼻隠し板がセメント系の材料により形成されている場合には、ポリカーボネート成形品がセメント系材料のアルカリ成分の影響を受けることから、ポリカーボネート樹脂製の軒樋吊具が鼻隠し板のアルカリ成分と接触し続けることによって、当該軒樋吊具にクラックが生じるという問題があった。
【０００４】
また、鼻隠し板がポリ塩化ビニル被覆鋼板で形成されている場合にも、ポリ塩化ビニルに含まれる可塑剤によって軒樋吊具が影響を受け、上記と同様に軒樋吊具にクラックが生じるという問題があった。
【０００５】
そこで、ポリカーボネート樹脂製の軒樋吊具をセメント系の材料又は可塑剤を含む合成樹脂材料により形成された鼻隠し板に設置する場合を考慮したものとして、従来、下記特許文献１に記載された軒樋吊具が提案されている。
【０００６】
図７は、上記従来の軒樋吊具１を示す図であって、軒樋２を保持して建物の鼻隠し板３に固定される樋保持部材４と、カバー部材５とからなっている。
【０００７】
樋保持部材４は、ポリカーボネート樹脂からなるものであり、軒樋２を装着させて支持する支持部６と、該支持部６の基端部６ａに連設されるとともに鼻隠し板３に取り付けられる取付部７とからなっている。
支持部６には、軒樋２を掛止する掛止部Ｓ、Ｔが形成されており、掛止部Ｓ、Ｔに軒樋２の被掛止部Ｕ、Ｖを嵌合させている。
カバー部材５は、上壁部５ａ、及び該上壁部５ａから前後に連設された垂直壁部５ｂ、５ｃを有する部材であり、ゴム等のアルカリ又は可塑剤の移行を阻止する材料により形成されている。
【０００８】
カバー部材５は、取付部７の前後端面を垂直壁部５ｂ、５ｃで挟み込むように該取付部７に装着され、このカバー部材５及び樋保持部材４は、垂直壁部５ｂ、５ｃ及び取付部７を貫通する貫通孔８に螺子９を螺入することにより鼻隠し板３に固定されている。
このように、軒樋吊具１は、取付部７に鼻隠し板３との間にアルカリ又は可塑剤の移行を阻止する材料からなるカバー部材５を介在させることにより、樋保持部材４が直接鼻隠し板３に当接しないようにして該樋保持部材４のクラックの発生を防止している。
【先行技術文献】
【特許文献】
【０００９】
【特許文献１】特開２００７−１３８５５３号公報
【発明の概要】
【発明が解決しようとする課題】
【００１０】
しかし、上記の軒樋吊具１によると、貫通孔８がカバー部材５及び取付部７を貫いているため、螺子９の螺入時に鼻隠し板３においてセメント又は可塑剤の粉末が生成され、特に雨天時に、セメント又は可塑剤の粉末が雨水と共に貫通孔８を通ってポリカーボネート樹脂からなる取付部７に付着してしまう可能性があり、クラックの原因となるアルカリ性成分又は可塑剤成分の移行を完全に防止できないという問題があった。
【００１１】
また、アルカリ性成分又は可塑剤成分の移行が完全に防止できないことにより、樋保持部材４の取付部７にクラックが発生した場合には、樋保持部材４全体を取り替えなければならず、軒樋設置構造の補修コストが嵩むという問題があった。
【００１２】
また、樋保持部材４の取付部７にカバー部材５を取り付けるため、カバー部材５の肉厚分だけ軒樋吊具１が前方に突出してしまい、そのままでは軒樋の取付け位置が前方に突出し、軒樋２の雨水を受ける位置が適切な位置からずれてしまうという問題があった。
【課題を解決するための手段】
【００１３】
そこで、本発明は、上記課題を解決するために以下の手段を提供している。
請求項１の発明は、建物への取付面を有する取付体と、この取付体から突出するように設けられて軒樋を吊下支持する軒樋支持体とを備えた軒樋吊具であって、前記軒樋支持体は、前記取付体に着脱自在に設けられ、前記軒樋支持体には、その基端部に前記突出する方向に対して左右両側方又は上下方向に張り出す張出壁部が形成され、前記取付体には、その前面に前記軒樋支持体の張出壁部を左右両側方又は上下方向から保持する保持壁部が形成され、前記軒樋支持体の張出壁部は左右両側方へ張り出す壁部とされ、前記取付体の保持壁部は前記張出壁部を左右両側方から保持する壁部とされ、前記張出壁部と前記保持壁部の各上端面を覆うカバー体が設けられていることを特徴とする。
【発明の効果】
【００１６】
本発明による軒樋吊具によれば、上記した解決手段によって下記の効果を奏する。
すなわち、請求項１に係る軒樋吊具によれば、軒樋吊具を固定する鼻隠し板が例えばセメント系の材料により形成されていた場合には、取付体を耐アルカリ性樹脂材料により成形することで、鼻隠し板からのアルカリ成分が例えばポリカーボネート樹脂製の軒樋支持体に接触することを防止することができるという効果を奏する。
したがって、軒樋支持体にアルカリ性成分によるクラックが発生することを防止することができるという効果を奏する。
【００１７】
また、鼻隠し板がポリ塩化ビニル被覆鋼板で形成されている場合には、取付体を可塑剤を移行させにくい樹脂材料で成形することにより、ポリ塩化ビニルの可塑剤が取付体に接触してもこれら取付体が劣化することはなく、また可塑剤が軒樋支持体に移行しにくくなる。
よって、この場合も可塑剤により取付体及び軒樋支持体にクラックが発生することを防止することができるという効果を奏する。
【００１８】
また、上記のように取付体及び軒樋支持体にクラックが発生することを防止できるので、取付体及び軒樋支持体のクラック発生に伴う補修がほとんど不要となり、この場合の補修費用の発生を抑えることができるという効果を奏する。
【００１９】
また、アルカリ成分又は可塑剤対策として鼻隠し板との間に別途部材を介在させる必要がないため、軒樋吊具全体が鼻隠し板から必要以上に突出することがなく、軒樋支持体に掛止する軒樋を常に定められた適切な位置に配置することができるという効果を奏する。
【００２０】
また、軒樋支持体の基端部に張出壁部を形成し、この張出壁部を取付体に形成した保持壁部により保持するようにしたので、軒樋支持体を取付体に堅固に保持することができるという効果を奏する。
【００２１】
また、取付体の保持壁部と軒樋支持体の基端部及び張出壁部の上方にカバー体を設けるようにしたので、保持壁部と張出壁部の間等に枯葉片、塵埃等の夾雑物が溜まるのを防止することができ、更にこれらの間に雨天時において雨水が浸入することを防止することができ、軒樋吊具の各構成部材である取付体、軒樋支持体、カバー体の劣化を防止することができるという効果を奏する。  
【図面の簡単な説明】
【００２２】
【図１】は、本発明の一実施形態として示した軒樋吊具の斜視図である。
【図２】は、本発明による軒樋吊具の分解斜視図である。
【図３】は、図１のＸ−Ｘ線視断面図である。
【図４】は、図３のＹ−Ｙ線視拡大断面図である。
【図５】は、図４のＺ−Ｚ線視断面図である。
【図６】は、本発明の別の実施形態に係る軒樋吊具の要部の断面図である。
【図７】は、従来の軒樋吊具を示す側断面図である。
【発明を実施するための形態】
【００２３】
以下、本発明に係る軒樋吊具の実施形態について、図を参照して説明する。
図１は、本発明の一実施形態として示した軒樋吊具１０を示した図である。
図１に示すように、軒樋吊具１０は、建物の鼻隠し板５０に固定される取付体１１と、該取付体１１に装着され、軒樋６０を吊下する軒樋支持体１２と、取付体１１の上面に被冠されるカバー体１３とを備えている。
【００２４】
取付体１１は、図２に示すように、正面視略Ｔ字状に形成された板状の壁部であって、上壁部１１ａと、下壁部１１ｂとを備えている。
【００２５】
上壁部１１ａは、その厚み寸法が下壁部１１ｂより小とされており、上壁部１１ａと下壁部１１ｂとの間には、軒樋支持体１２の基端部１２ａを支持する段部１４が形成されている。
上壁部１１ａの左右両端方には、この取付体１１を鼻隠し板５０に固定する螺子（不図示）を挿通させるための貫通孔１５、１５が形成されている。
また、上壁部１１ａには、軒樋支持体１２を保持する保持壁部１６、１６が形成されている。
保持壁部１６、１６は、軒樋支持体１２の基端部１２ａを上壁部１１ａの前面、及び段部１４と協働して保持する壁部である。
【００２６】
この保持壁部１６、１６は、上壁部１１ａの貫通孔１５、１５よりも左右方向中央寄りでかつ互いに離間した位置から立ち上がる立上り壁部１６ａ、１６ａと、これら立上り壁部１６ａ、１６ａの各先端部から互いに接近する方向に延出する係合壁部１６ｂ、１６ｂとを備えた構成とされており、保持壁部１６の下端と下壁部１１ｂの上端部前面との間は、壁部１８、１８により塞がれた構成とされている。
【００２７】
この場合、壁部１８、１８の上面は、段部１４と面一とされている。
上記の構成において、係合壁部１６ｂ、１６ｂの先端面１６ｃ、１６ｃ間の寸法Ｌ１は、軒樋支持体１２における腕部２１の端部２１ａ（詳細は後述する）が挿入し得る寸法とされている。
【００２８】
下壁部１１ｂの上端部前面には、前記に係止突起１９が形成されている。
この係止突起１９は、軒樋支持体１２の腕部２１を支持する壁部であり、その上面１９ａが段部１４と面一とされている。
【００２９】
また、下壁部１１ｂの下端部には、前述した貫通孔１５、１５と同様の貫通孔１５が形成されている。
【００３０】
また、図３に示すように段部１４には、半球形状の窪み２０が形成されている。また、上壁部１１ａ、下壁部１１ｂの後面は鼻隠し板５０へ当接させる取付面１１ｃとされている。
【００３１】
この取付体１１は、ポリエチレン、ポリプロピレン、硬質塩化ビニル樹脂等の耐アルカリ性樹脂又は可塑剤を移行させにくい樹脂材料によって成形されている。
【００３２】
軒樋支持体１２は、図１、図２に示すように、取付体１１と別体を成し該取付体１１に着脱自在に装着される部材であり、取付体１１に装着するための基端部１２ａと、この基端部１２ａから軒先の突出方向へ突出する腕部２１とを備えて構成されている。
腕部２１は、軒樋６０を掛止する掛止部２２、２３を備えている。
【００３３】
基端部１２ａは、図４に示すように正面視略矩形の輪郭形状を有する板状の壁部であり、図５に示すようにその左右方向中央部に腕部２１の端部２１ａが一体的に形成され、その左右両端方に取付体１１の上壁部１１ａと保持壁部１６、１６との間に嵌着可能な張出壁部２４、２４が形成されている。
【００３４】
図４に示すように、基端部１２ａの下面には、この基端部１２ａを上壁部１１ａと保持壁部１６、１６との間に嵌入した際に、段部１４に形成された窪み２０に変位可能に嵌着される半球状の凸部２５が形成されている。
【００３５】
図５に示すように、基端部１２ａの幅寸法Ｌ２は、凸部２５を窪み２０に嵌着させた状態において、その両側面２６、２６と立上り壁部１６ａ、１６ａとの間に僅かな隙間Ｓ１が形成される寸法とされている。
【００３６】
また、図４に示すように、基端部１２ａの上面は、左右方向の中心位置から左右方向へ下る傾斜面２７、２７とされており、同下面は、左右方向へ上る傾斜面２８、２８とされている。
また、基端部１２ａの４つの角部は、湾曲面２９、２９・・とされている。
【００３７】
この構成の下に、基端部１２ａを上記のように上壁部１１ａと保持壁部１６、１６との間に嵌着させた場合には、傾斜面２７、２７と取付体１１に嵌着されるカバー体１３（詳細は後述する）との間に隙間Ｓ２、Ｓ２が形成され、傾斜面２８、２８と段部１４との間に隙間Ｓ３、Ｓ３が形成される。
【００３８】
また、この状態において保持壁部１６、１６における係合壁部１６ｂ、１６ｂの先端面１６ｃ、１６ｃ間には、腕部２１の端部２１ａが位置しているが、端部２１ａと先端面１６ｃとの間には僅かな隙間Ｓ４、Ｓ４が形成される。
【００３９】
したがって、基端部１２ａは、上記のように上壁部１１ａと保持壁部１６、１６との間に嵌着した状態において、上壁部１１ａ及び保持壁部１６の係合壁部１６ｂによって前後方向の移動が規制されるが、上記の隙間Ｓ１〜Ｓ４の存在により、基端部１２ａの板面に直交し、窪み２０内の凸部２５を通る略水平方向の軸線を中心として僅かに揺動することができ、図１に示すように腕部２１を同軸線を中心として（矢印Ａ−Ｂ方向に）僅かに揺動することができる。
【００４０】
また、図５に示すように基端部１２ａは、その取付体１１に対向する面が左右方向の中心部分が頂部となる傾斜面３０、３０とされており、上壁部１１ａの前面との間には隙間Ｓ５、Ｓ５が形成されるようになっている。
また、張出壁部２４、２４と係合壁部１６ｂ、１６ｂとの間には隙間Ｓ６、Ｓ６が形成されるようになっている。
【００４１】
したがって、基端部１２ａは、上記のように上壁部１１ａと保持壁部１６、１６との間に嵌着した状態において、上記隙間Ｓ１、Ｓ４、Ｓ５、Ｓ６の存在によって窪み２０内の凸部２５を通る略鉛直方向の軸線を中心として僅かに回動することができ、図１に示すように腕部２１を同軸線を中心として（矢印Ｃ−Ｄに）僅かに回動することができる。
【００４２】
図１に示すように、カバー体１３は、取付体１１及び軒樋支持体１２と別体を成し、軒樋支持体１２が取付体１１に装着された状態において、これら軒樋支持体１２及び取付体１１に一体的に固定されるものである。このカバー体１３は、図２に示す取付体１１の上壁部１１ａ及び保持壁部１６の上面、及び軒樋支持体１２の基端部１２ａの上面を覆う上壁部３５と、この上壁部３５の左右両端方に連設されて取付体１１の上壁部１１ａの左右両端方を覆う側壁部３６、３６と、上壁部３５及び側壁部３６に連設されて取付体１１の保持壁部１６の立上り壁部１６ａに沿って配置される補強壁部３７とを備えて構成されている。
【００４３】
側壁部３６、３６には、取付体１１の貫通孔１５、１５に対応する位置に固定用の螺子（不図示）を挿通させるための貫通孔３８が形成されている。
なお、この側壁部３６、３６の後面側には取付体１１の上壁部１１ａを収納するための凹所（不図示）が形成されている。
【００４４】
カバー体１３は、ポリエチレン、ポリプロピレン、硬質塩化ビニル樹脂等の耐アルカリ性樹脂又は可塑剤を移行させにくい樹脂材料によって成形されている。
【００４５】
上記の構成を有する軒樋吊具１０は、次のようにして鼻隠し板５０に固定する。
まず、図２において、取付体１１の上壁部１１ａと保持壁部１６、１６とに囲まれた空間に軒樋支持体１２の基端部１２ａを挿入し、凸部２５を窪み２０内に嵌合させ、基端部１２ａ及び腕部２１の端部２１ａの下面を段部１４及び係合突起１９の上面１９ａに係合させる。
【００４６】
この状態において軒樋支持体１２の張出壁部２４、２４は、その左右方向の移動が取付体１１の保持壁部１６、１６の立上り壁部１６ａ、１６ａによって規制され、下方への移動が段部１４によって規制され、前方への抜け出しが保持壁部１６、１６の係合壁部１６ｂ、１６ｂによって規制される。
【００４７】
次に、これら取付体１１及び軒樋支持体１２にカバー体１３を装着する。
この場合、カバー体１３の上壁部３５で基端部１２ａの上端面を覆い、側壁部３６、３６で上壁部１１ａの左右両側方を覆う。
【００４８】
そして、カバー体１３の貫通孔３８と取付体１１の貫通孔１５とを位置合わせした上で、これら取付体１１、軒樋支持体１２、カバー体１３を一体的に鼻隠し板５０に接近させ、取付体１１の取付面１１ｃを鼻隠し板５０に当接させて、この状態でカバー体１３及び取付体１１の左右の貫通孔３８、３８、及び貫通孔１５、１５、取付体１１の下端部の貫通孔１５に雄螺子（不図示）を挿入し、螺入する。
【００４９】
これによって、取付体１１、軒樋支持体１２、カバー体１３は一体的に鼻隠し板５０に固定されることになる。
この状態において、軒樋支持体１２の掛止部２２、２３に軒樋６０を掛止することが可能となる。
【００５０】
以上説明したように、軒樋吊具１０によれば、樋支持体１２が取付体１１に装着される構成とされているので、軒樋吊具１０を固定する鼻隠し板５０が例えばセメント系の材料により形成されていても、鼻隠し板５０からのアルカリ成分が例えばポリカーボネート製の軒樋支持体１２に接触することを防止することができる。
【００５１】
また、この軒樋吊具１０を鼻隠し板５０に固定する際には、カバー体１３と取付体１１との各貫通孔３８、１５を通して雄螺子を鼻隠し板５０内に螺入するので、鼻隠し板５０内にセメント粉が生成され、このセメント粉が貫通孔１５、３８内に侵入し得るが、カバー体１３及び取付体１１が耐アルカリ性材料から形成されているのでこれらカバー体１３及び取付体１１は劣化することがなく、またこのセメント粉が軒樋支持体１２に接触することもない。
したがって、取付体１１、軒樋支持体１２、及びカバー体１３にアルカリ性成分によるクラックが発生することを防止することができるという効果が得られる。
【００５２】
また、鼻隠し板５０が例えばポリ塩化ビニル被覆鋼板で形成されている場合には、取付体１１及びカバー体１３を可塑剤を移行させにくい樹脂材料で形成することにより、可塑剤が取付体１１及びカバー体１３に接触してもこれら取付体１１及びカバー体１３が劣化することはなく、また可塑剤が軒樋支持体１２に接触することもない。
よってこの場合も取付体１１、軒樋支持体１２、及びカバー体１３に可塑剤によりクラックが発生することを防止することができる。
【００５３】
また、軒樋吊具１０は、上記のように取付体１１、軒樋支持体１２にクラックが発生することを防止できるので、取付体１１、軒樋支持体１２のクラック発生に伴う補修がほとんど不要となり、この場合の補修費用の発生を抑えることができるという効果が得られる。
【００５４】
また、軒樋吊具１０によれば、アルカリ成分又は可塑剤対策として鼻隠し板５０との間に別途部材を介在させず、互いに別体を成す取付体１１に軒樋支持体１２を装着する構成としたため、軒樋吊具１０全体が鼻隠し板５０から必要以上に突出することがなく、軒樋支持体１２に掛止する軒樋６０を常に定められた適切な位置に配置することができるという効果が得られる。
【００５５】
また、取付体１１の保持壁部１６と軒樋支持体１２の基端部１２ａの上方にカバー体１３を設けるようにしたので、保持壁部１６と基端部１２ａの間等に枯葉片、塵埃等の夾雑物が溜まるのを防止することができ、更にこれらの間に雨天時において雨水が浸入することを防止することができ、軒樋吊具１０の各構成部材である取付体１１、軒樋支持体１２、カバー体１３の劣化を防止することができるという効果が得られる。
【００５６】
また、前述したように図１に示すように取付体１１に対し軒樋支持体１２が基端部１２ａの板面に直交し、窪み２０内の凸部２５を通る略水平方向の軸線を中心として（矢印Ａ−Ｂ方向に）僅かに揺動することができ、かつ窪み２０内の凸部２５を通る略鉛直方向の軸線を中心として（矢印Ｃ−Ｄ方向に）僅かに回動することができるので、軒樋吊具１０及び軒樋６０を設置した状態において風等により軒樋６０に外力が加えられた場合にも、軒樋支持体１２が取付体１１に対し僅かずつ前記矢印Ａ−Ｂ又は矢印Ｃ−Ｄ方向に変位することによって、当該外力が軒樋６０に蓄積されることがなく、軒樋６０の跳ね返りによる当該軒樋６０と軒樋支持体１２との跳ね返り音の発生を防止することができるという効果が得られる。
【００５７】
なお、上記の実施の形態においては、軒樋支持体１２の張出壁部２４、２４を左右両側方から保持壁部１６、１６により保持するように構成したが、この構成は図６に示すように軒樋支持体１２の張出壁部２４、２４を基端部２１ａにおいて上下方向に張り出すように構成するとともに、取付体１１に前記張出壁部２４、２４を保持する保持壁部１６、１６を設け、張出壁部２４、２４を上下方向から保持するように構成しても良い。
【符号の説明】
【００５８】
１０  軒樋吊具
１１  取付体
１１ａ  基端部
１２  軒樋支持体
１３  カバー体
１６  保持壁部
２４  張出壁部
６０  軒樋
【図１】
0005548008.tif 000002
【図２】
0005548008.tif 000003
【図３】
0005548008.tif 000004
【図４】
0005548008.tif 000005
【図５】
0005548008.tif 000006
【図６】
0005548008.tif 000007
【図７】
0005548008.tif 000008